(57)【要約】      （修正有）【課題】土壌を容易に収容することができる収容袋体を提供する。【解決手段】収容袋体は、開口部２１が形成され、開口部２１を露出した状態で折畳み可能な袋部２０と、開口部２１の開口縁の全周から連続して開口部２１よりも広く形成され、開口部２１を覆う覆部４０と、を有する。【選択図】図５
2016204032.tif 000002
【特許請求の範囲】
【請求項１】
土壌を収容する収容袋体であって、
開口部が形成され、前記開口部を露出した状態で折畳み可能な袋部と、
前記開口部の開口縁の全周から連続して前記開口部よりも広く形成され、前記開口部を覆う覆部と、を有することを特徴する収容袋体。
【請求項２】
前記袋部は、直方体状であり、
前記覆部は、外形が矩形状であり、中央に前記開口部が位置することを特徴とする請求項１に記載の収容袋体。
【請求項３】
前記覆部は、土壌を集積するために前記覆部の外側面であって、かつ前記覆部の外形縁の全周に亘って略紐状あるいは略帯状の集積部材を有することを特徴とする請求項１または２に記載の収容袋体。
【請求項４】
前記袋部は、該収容袋体を吊上げるために直方体状の前記袋部のうち外側面であって、前記開口縁と直交する辺に沿って複数の吊上部材を有することを特徴とする請求項１ないし３の何れか１項に記載の収容袋体。
【請求項５】
前記袋部は、４つ側面部と、１つの底面部とにより直方体状に構成され、
前記底面部が前記開口縁に対して前記袋部の中心鉛直軸に対して回転した状態になるように、前記４つの側面部がそれぞれ対角線に沿って前記袋部の内側に折畳まれることを特徴とする請求項１ないし４の何れか１項に記載の収容袋体。
【請求項６】
開口部が形成され、前記開口部を露出した状態で折畳み可能な袋部と、
前記開口部の開口縁の全周から連続して前記開口部よりも広く形成され、前記開口部を覆う覆部と、を有する収容袋体に、土壌を収容する収容方法であって、
前記袋部を折畳んだ状態のまま前記開口部に土壌を積載するステップと、
前記袋部が折畳まれた状態から起立した状態になるように前記覆部または前記袋部を持ち上げるステップと、
前記開口部を前記覆部により覆うステップと、を有することを特徴とする土壌の収容方法。
【発明の詳細な説明】
【技術分野】
【０００１】
本発明は、収容袋体および土壌の収容方法に関するものである。特に、放射性物質により汚染された土壌を収容する場合に用いられて好適である。
【背景技術】
【０００２】
現在、放射性物質により汚染された土壌の除染作業が進められている。除染に伴い発生した汚染された土壌は、土嚢やコンテナバッグなどの保管袋に収容された状態で、各除染エリアに設置された仮置き場などの一時保管場所に保管されている。土壌を収容する保管袋には、耐候性や防水性が求められており、様々なものが提案されている。特許文献１には、外袋の中に内袋を備え、外袋はカーボンブラックを含有するフィラメント糸で織製されており、内袋は厚さが０．０５ｍｍ〜０．５ｍｍのポリオレフィンシートで形成されることで、耐候性に優れた収納袋が開示されている。
【先行技術文献】
【特許文献】
【０００３】
【特許文献１】特開２０１３−１７４４７５号公報
【発明の概要】
【発明が解決しようとする課題】
【０００４】
しかしながら、一時保管場所に保管されてから数年間が経過しているために、耐候性を有する保管袋であっても劣化や破損など生じている保管袋が存在する。近年、一時保管場所に保管された保管袋を、中間貯蔵施設に車両を用いて運搬することが進められているが、保管袋を車両に積み込むときに、劣化や破損した保管袋から汚染土壌が散乱してしまう。この場合、破損した保管袋自体や、保管袋から散乱した汚染土壌を別の収容袋体に収容することが考えられる。このとき、汚染土壌による作業者の被曝をなるだけ少なくするために、収容袋体に土壌などを容易に収容することが求められる。
【０００５】
本発明は、上述したような問題点に鑑みてなされたものであり、土壌を容易に収容することができる収容袋体を提供することを目的とする。
【課題を解決するための手段】
【０００６】
本発明は、土壌を収容する収容袋体であって、開口部が形成され、前記開口部を露出した状態で折畳み可能な袋部と、前記開口部の開口縁の全周から連続して前記開口部よりも広く形成され、前記開口部を覆う覆部と、を有することを特徴する。
本発明は、開口部が形成され、前記開口部を露出した状態で折畳み可能な袋部と、前記開口部の開口縁の全周から連続して前記開口部よりも広く形成され、前記開口部を覆う覆部と、を有する収容袋体に、土壌を収容する収容方法であって、前記袋部を折畳んだ状態のまま前記開口部に土壌を積載するステップと、前記袋部が折畳まれた状態から起立した状態になるように前記覆部または前記袋部を持ち上げるステップと、前記開口部を前記覆部により覆うステップと、を有することを特徴とする。
【発明の効果】
【０００７】
本発明によれば、土壌を容易に収容することができる。
【図面の簡単な説明】
【０００８】
【図１Ａ】収容袋体の平面図である。
【図１Ｂ】収容袋体を下側から見た斜視図である。
【図１Ｃ】収容袋体の底面図である。
【図２Ａ】袋部の側面部が折畳まれる前の状態を示す図である。
【図２Ｂ】袋部の側面部が折畳まれた後の状態を示す図である。
【図３Ａ】袋部が折畳まれた状態を示す斜視図である。
【図３Ｂ】袋部が折畳まれた状態を示す側面図である。
【図４】収容袋体を広げた状態を示す図である。
【図５】収容袋体に土壌を収容している状態を示す図である。
【図６】収容袋体に土壌を収容した状態を示す図である。
【図７】覆部により袋部の開口部を覆っている状態を示す図である。
【図８】覆部により袋部の開口部を覆っている状態を示す図である。
【図９】覆部により袋部の開口部を覆った状態を示す図である。
【図１０】収容袋体を吊上げている状態を示す図である。
【発明を実施するための形態】
【０００９】
以下、本発明に係る実施形態について図面を参照して説明する。
図１Ａ〜図１Ｃは、本実施形態に係る収容袋体の構成を示す図である。具体的には、図１Ａは収容袋体の平面図であり、図１Ｂは収容袋体を下側から見た斜視図であり、図１Ｃは収容袋体の底面図である。
収容袋体１０は、土壌あるいは土嚢やコンテナバッグなどの保管袋自体を収容する。以下では、収容袋体１０に土壌を収容する場合を中心に説明する。
【００１０】
収容袋体１０は、袋部２０と、覆部４０とを有している。
まず、袋部２０について説明する。袋部２０は、上側に開口部２１が形成される袋状であり、内部に土壌を収容するための空間が形成される。袋部２０は、自由に変形できる一方で強度に優れ、かつ耐候性がある生地、例えばポリプロピレンなどを用いたクロスが適用できる。
【００１１】
また、袋部２０は有底の角筒状、具体的には直方体状であり、４つの側面部２３ａ〜２３ｄと１つ底面部２５とを有している。したがって、例えば、側面部２３ａ〜２３ｄの縁同士、あるいは側面部２３ａ〜２３ｄの縁と底面部２５の縁とを縫製することで、立体的な袋部２０を構成することができる。
ここで、袋部２０の説明をより容易にするために、開口部２１の開口縁を構成する４辺を辺２２ａ〜２２ｄとし、側面部２３ａ〜２３ｄのそれぞれ縁同士の境界において上下方向に形成される４辺を辺２４ａ〜２４ｄとし、底面部２５を構成する４辺を辺２６ａ〜２６ｄという。なお、図１Ｂに示すように、辺２２ａ〜２２ｄと、辺２６ａ〜２６ｄとは、それぞれ平行で上下に対向した位置関係になっている。また、辺２２ａ〜２２ｄおよび辺２６ａ〜２６ｄと、辺２４ａ〜２４ｄとは、直交した位置関係になっている。
なお、本実施形態では、辺２２ａ〜２２ｄおよび辺２６ａ〜２６ｄは同一寸法であり、例えば８００ｍｍ〜１２００ｍｍほどである。また、辺２４ａ〜２４ｄは同一寸法であり、例えば１２００ｍｍ〜１６００ｍｍほどである。また、袋部２０の大きさは、一時保管場所に保管された保管袋自体をそのまま収容できる大きさであることが好ましい。
【００１２】
また、袋部２０は、辺２４ａと、底面部２５の対角線と、辺２４ｃとに沿って連続した補強部材４５ａが結合され、辺２４ｂと、底面部２５の対角線と、辺２４ｄとに沿って連続した補強部材４５ｂが結合されている。補強部材４５ａ、４５ｂは、略帯状であって、自由に変形できる一方で強度に優れ、かつ耐候性がある材質、例えばポリプロピレンにより形成される。補強部材４５ａ、４５ｂは、袋部２０に縫製などによって取り付けられている。補強部材４５ａ、４５ｂにより袋部２０の全体の強度を向上させることができる。
【００１３】
また、袋部２０は、土壌が収容された収容袋体１０を主に吊上げるための複数の吊上部材２７ａ〜２７ｄを有する。吊上部材２７ａ〜２７ｄは、略紐状あるいは略帯状であって、自由に変形できる一方で強度に優れ、かつ耐候性がある材質、例えばポリプロピレンにより形成される。吊上部材２７ａ〜２７ｄの先端側は、後述する引掛部５１に引っ掛けることができるように環状に形成される。また、吊上部材２７ａ〜２７ｄは、袋部２０の側面部２３ａ〜２３ｄの外側面であって、辺２４ａ〜２４ｄに沿って、より具体的には補強部材４５ａ、４５ｂ上に縫製などによって取り付けられている。このように、吊上部材２７ａ〜２７ｄは、側面部２３ａ〜２３ｄのそれぞれ縁同士の境界を構成する辺２４ａ〜２４ｄに沿って取り付けることで、吊上部材２７ａ〜２７ｄの強度を向上させることができる。また、吊上部材２７ａ〜２７ｄは補強部材４５ａ、４５ｂ上に取り付けられることで、吊上部材２７ａ〜２７ｄの強度を更に向上させることができる。なお、吊上部材２７ａ〜２７ｄの先端側は、袋部２０には取り付けられていないために、図１Ｂでは、重力によって垂れ下がっている。また、吊上部材２７ａ〜２７ｄはそれぞれ同一の色に着色されている。したがって、作業者は容易に吊上部材２７ａ〜２７ｄを識別することができる。
【００１４】
更に、袋部２０は、結束部材２８および被結束部材４４を有する。結束部材２８および被結束部材４４は、略紐状であって、結束に適した材質、例えばポリプロピレン、ナイロン、木綿、麻などにより形成される。結束部材２８は、袋部２０の側面部２３ａ〜２３ｄのうち少なくとも一面、ここでは側面部２３ａの略中央に取り付けられる。一方、被結束部材４４は、結束部材２８に結束される。被結束部材４４は、結束部材２８が取り付けられた側面部２３ａに対して対向する側面部２３ｃの略中央に取り付けられる。なお、被結束部材４４と結束部材２８とは、それぞれ同一の色に着色されている。したがって、作業者は、容易に被結束部材４４と結束部材２８とを識別することができる。
【００１５】
次に、覆部４０について説明する。覆部４０は、袋部２０から連続して形成される平面状である。覆部４０は、袋部２０と同様、自由に変形できる一方で強度に優れ、かつ耐候性がある生地、例えばポリプロピレンなどを用いたクロスが適用できる。
【００１６】
また、覆部４０は、袋部２０の開口部２１の開口縁の全周から隙間なく連続して、開口部２１の大きさよりも広い矩形状に形成される。覆部４０は、中央に開口部２１が位置し、開口部２１の開口縁に沿って内側に折畳むことで開口部２１を上側から覆うことができる。
ここで、覆部４０の説明をより容易にするために、覆部４０の外形縁の４辺を辺４１ａ〜４１ｄという。なお、本実施形態では、辺４１ａ〜４１ｄは同一寸法であり、例えば２０００ｍｍ〜３０００ｍｍほどである。
【００１７】
また、覆部４０は、覆部４０上に積載された土壌を開口部２１に向かって集積するための集積部材４２を有する。集積部材４２は、略紐状あるいは略帯状であって、自由に変形できる一方で強度に優れ、かつ耐候性がある材質、例えばポリプロピレンにより形成される。集積部材４２は、覆部４０の外側面（開口部２１を覆ったときに外側になる面）であって、覆部４０の辺４１ａ〜４１ｄに近接すると共に辺４１ａ〜４１ｄに沿って配置されている。ここでは、集積部材４２は、覆部４０の辺４１ａ〜４１ｄの全周に亘って環状に配置されている。
具体的には、覆部４０の外側面には辺４１ａ〜４１ｄに近接した位置に複数の挿通部４３が間隔をあけて配置され、集積部材４２は各挿通部４３に挿通した状態で配置される。したがって、集積部材４２は、挿通部４３内を自由に移動することができる。なお、挿通部４３は、覆部４０の外側面に縫製により取り付けられている。また、覆部４０の角に位置する４つの挿通部４３は取付位置が覆部４０の外側面だけではなく、袋部２０の辺２４ａ〜２４ｄに沿っても取り付けられている。したがって、覆部４０の角に位置する４つの挿通部４３は、他の挿通部４３と比べて補強されている。また、集積部材４２は、吊上部材２７ａ〜２７ｄとは異なる色に着色されている。したがって、作業者は容易に集積部材４２を識別することができる。
【００１８】
次に、上述したように構成される収容袋体１０は、袋部２０が開口部２１を上側にして露出した状態で折畳み可能である。ここでは、袋部２０を折畳むときの構成について説明する。
袋部２０は、所定の状態に折畳むことができるように予め折目が設定されている。すなわち、各側面部２３ａ〜２３ｄには、対角線に沿った折目２９ａ〜２９ｄが癖付けられている。図１Ｂに示すように、側面部２３ａに設定されている折目２９ａは、辺２２ａと辺２４ｄとからなる角と、辺２４ａと辺２６ａとからなる角とを結ぶ対角線に沿って形成されている。折目２９ａは、外側から見て谷折りであり、逆に袋部２０内から見たときに山折りであって、袋部２０の内側に折畳まれるように癖付けされている。側面部２３ｂ〜２３ｄについても同様の折目２９ｂ〜２９ｄが癖付けされている。
【００１９】
上述したような袋部２０では、設定された折目２９ａ〜２９ｄによって容易に折畳むことができる。ここで、図２Ａおよび図２Ｂを参照して、袋部２０が折畳まれる動作について説明する。図２Ａおよび図２Ｂでは、袋部２０のうち側面部２３ｃのみを図示し、側面部２３ｃの折畳みのみに注目している。図２Ａは側面部２３ｃが折畳まれる前の状態を示し、図２Ｂは側面部２３ｃが折畳まれた後の状態を示している。
図２Ａから図２Ｂに移行することで、開口部２１の辺２２ｃに側面部２３ｃの辺２４ｂが略平行に重なる。また、開口部２１の辺２２ｄに側面部２３ｃの辺２４ｃおよび底面部２５の辺２６ｃが略平行に重なる。ここでは、側面部２３ｃのみを図示しているが、側面部２３ａ、２３ｂ、２３ｄについても同様である。したがって、開口部２１の辺２２ａ、２２ｂ、２２ｃ、２２ｄにそれぞれ底面部２５の辺２６ｄ、２６ａ、２６ｂ、２６ｃが略平行に重なる。
【００２０】
図３Ａおよび図３Ｂは、袋部２０全体が折畳まれた状態を示している。図３Ａは袋部２０が折畳まれた状態の斜視図であり、図３Ｂは袋部２０が折畳まれた状態の側面図である。
上述したように、袋部２０全体が折畳まれることで、開口部２１の辺２２ａ〜２２ｄに対して、底面部２５の辺２６ｄ〜辺２６ｃが重なる。すなわち、袋部２０は、開口部２１の辺２２ａ〜２２ｄに対して、底面部２５が袋部２０の中心鉛直軸Ａを中心に９０度回転した状態になるように折畳まれる。折畳まれた状態では、折重なった側面部２３ａ〜２３ｄと、底面部２５とが重なり合うものの、側面部２３ａ〜２３ｄおよび底面部２５はそれぞれ厚みが薄いことから、図３Ｂに示すように折畳まれた袋部２０は略平坦である。
【００２１】
図３Ａに示すように、折畳まれた袋部２０は、開口部２１が露出された状態である。また、折目２９ａ〜２９ｄは、それぞれ隣り合う折目２９ａ〜２９ｄに重なり合って、袋部２０の中心鉛直軸Ａに向かう渦状をなしている。このように、折目２９ａ〜２９ｄが渦状になるように折畳まれることで、開口部２１に土壌を積載した状態から、袋部２０の空間が形成されるように袋部２０を起立（あるいは展開）させることで、側面部２３ａ〜２３ｄ上に沿って空間内に効率よく土壌が収容される。
【００２２】
次に、具体的に収容袋体１０に土壌を収容して、吊上げるまでの方法について図４〜図１０を参照して説明する。ここでは、一時保管場所に保管された保管袋のうち、破損した保管袋から汚染土壌が散乱し、散乱した汚染土壌を収容袋体１０に収容する場合について説明する。なお、各図では、土壌を透過させるように想像線で示し、収容袋体１０の変化が理解できるよう図示している。
まず、図４に示すように、作業者は、袋部２０を折畳み、かつ覆部４０を広げた状態の収容袋体１０を、セシウム吸着性シート５０上に載置する。セシウム吸着性シート５０は、土壌に含まれるセシウムが水分と共に漏れ出したときに吸水・吸着することで、セシウムの外部流出を防止する。セシウム吸着性シート５０は、覆部４０を広げた収容袋体１０よりも広いものが用いられる。
【００２３】
次に、作業者は、散乱した土壌をスコップなどを用いて袋部２０の開口部２１付近を中心にして積載していく。このとき、積載する土壌の量が多く、開口部２１上に積載しきれない場合には開口部２１上のみならず覆部４０上に積載する。
【００２４】
次に、作業者は、集積部材４２のうち離れた位置を手で把持し、持ち上がる。ここでは、集積部材４２を持ち上げることで覆部４０も持ち上がることから、覆部４０上に積載された土壌は覆部４０上を滑るように開口部２１付近に向かって集積される。ここでは、折畳まれた袋部２０を起立させるほどの高さまで持ち上げる必要がなく、単に覆部４０のみが持ち上げる程度の高さまで持ち上げる。また、作業者は、覆部４０の全周に亘って、同様に集積部材４２を持ち上げることで、覆部４０上に積載された土壌は、開口部２１付近に集積される。なお、大量の土壌が覆部４０に積載された場合には、集積部材４２を手で持ち上げることが困難であるために、重機を用いて持ち上げてもよい。この場合には、集積部材４２にロープやベルトを絡ませて、重機がロープやベルトを介して集積部材４２を持ち上げることで土壌を集積させることが好ましい。
【００２５】
なお、集積部材４２は、覆部４０の辺４１ａ〜４１ｄに近接した位置に間隔をあけて配置された挿通部４３に挿通されているので、集積部材４２の一部を持ち上げると、持ち上げた部分の両側に位置する挿通部４３を介して周辺の覆部４０が全体的に持ち上げられる。したがって、土壌を集積させる効率を向上させることができる。また、集積部材４２は覆部４０の外側面に取り付けられていることから、作業者が土壌に直接、触れることを防ぐことができる。
【００２６】
次に、複数の作業者が、収容袋体１０の周囲から集積部材４２あるいは吊上部材２７ａ〜２７ｄを把持して持ち上げる。ここでは、折畳まれた袋部２０を起立させるのに必要な程度の高さまで持ち上げる。袋部２０の起立に伴って、図５に示すように、開口部２１内では折目２９ａ〜２９ｄにより形成された渦は、中心鉛直軸Ａを中心に徐々に均等に広がるようにして、袋部２０内に空間が形成される。このとき、側面部２３ａ〜２３ｄ自体は、平坦な状態から徐々に傾斜角度が大きくなりながら鉛直な状態に変位する。したがって、開口部２１上および覆部４０上に積載された土壌は、側面部２３ａ〜２３ｄの傾斜に合わせて側面部２３ａ〜２３ｄ上に沿って徐々に滑り落ちることから、あたかも渦に沿うように、袋部２０内に緩やか、かつ円滑に収容される。袋部２０内に土壌が収容されることで、図６に示すように、袋部２０は起立した状態が維持される。
【００２７】
次に、作業者は、覆部４０により袋部２０の開口部２１を覆うように閉塞する。
まず、図６の矢印に示すように、作業者は、開口部２１の辺２２ｂおよび辺２２ｄに沿って、覆部４０の辺４１ｂ側および辺４１ｄ側がそれぞれ袋部２０に向かうように両側から折畳む。したがって、図７に示すように、覆部４０によって２方向から開口部２１が閉塞される。ここでは、覆部４０の辺４１ｂ側と辺４１ｄ側とが折重なった状態で開口部２１が閉塞される。
【００２８】
次に、図７の矢印に示すように、作業者は、開口部２１の辺２２ａに沿って、覆部４０の辺４１ａ側が袋部２０に向かうように折畳む。したがって、図８に示すように、覆部４０の辺４１ａ側が開口部２１に折重なる。このとき、折重ねた覆部４０の外面側に取り付けられた２つの挿通部４３が露出する。
次に、図８の矢印に示すように、作業者は、開口部２１の辺２２ｃに沿って、覆部４０の辺４１ｃ側が袋部２０に向かうように折畳む。したがって、図９に示すように、覆部４０の辺４１ｃ側が開口部２１に折重なる。このとき、折重ねた覆部４０の外面側に取り付けられた２つの挿通部４３が露出する。
図９に示す状態では、覆部４０の辺４１ａ〜４１ｄが折重なった状態で開口部２１を閉塞する。
【００２９】
次に、作業者は、結束部材２８と被結束部材４４とを結束することで、覆部４０が開口部２１を閉塞した状態に保持することができる。
次に、作業者は、吊上部材２７ａ〜２７ｄをそれぞれ隣接する挿通部４３に挿通させる具体的には、作業者は、吊上部材２７ａ、２７ｄを、挿通部４３のうち図９に示すように覆部４０の辺４１ｃ側を折畳んだときに露出される左右の挿通部４３にそれぞれ挿通する。また、作業者は、吊上部材２７ｂ、２７ｃを、挿通部４３のうち図８に示すように覆部４０の辺４１ａ側を折畳んだときに露出される左右の挿通部４３にそれぞれ挿通する。なお、覆部４０の辺４１ａ側を折畳んだときに露出される左右の挿通部４３は、覆部４０の辺４１ｃ側によって下側に隠れているために図９に示す状態では露出されていない。したがって、作業者は、覆部４０の辺４１ａ側と辺４１ｃ側の間の隙間を通じて、吊上部材２７ｂ、２７ｃをそれぞれ挿通部４３に挿通するものとする。
【００３０】
最後に、図１０に示すように、作業者は、吊上部材２７ａ〜２７ｄを例えばクレーンやフォークリフト等の重機に備えられた引掛部５１に引っ掛けて吊上げることで、土壌が収容された収容袋体１０を車両に移動させたり、異なる位置に移動させたりすることができる。このとき、吊上部材２７ａ〜２７ｄは挿通部４３にそれぞれ挿通された状態である。したがって、覆部４０は吊上部材２７ａ〜２７ｄを介して開口部２１を閉塞する方向に力が作用されるために、覆部４０は開口部２１を閉塞した状態を維持することができる。収容袋体１０は、中間貯蔵施設に車両を用いて運搬される。また、使用済のセシウム吸着性シート５０は、土壌と共に収容袋体１０内に収容される。
なお、本実施形態では、散乱された土壌を収容袋体１０に収容する場合の方法について説明したが、この場合に限られず、劣化または破損した保管袋をそのまま収容袋体１０に収容してもよい。
【００３１】
以上、本実施形態の収容袋体１０によれば、袋部２０は、開口部２１が形成され、開口部２１を露出した状態で折畳み可能であって、覆部４０は、開口部２１を覆うことができ、開口部２１の開口縁の全周から連続して開口部２１よりも広く形成される。したがって、折畳まれた袋部２０の開口部２１上に土壌を積載して、袋部２０を起立させることで土壌を容易に袋部２０に収容することができる。また、袋部２０の開口部２１を閉塞する覆部４０は、開口縁の全周から連続して開口部２１よりも広く形成されていることから、土壌が開口部２１をはみ出して積載されても覆部４０上に積載されることから、収容袋体１０の回りに土壌が散乱することが防止される。
【００３２】
本実施形態の袋部２０は、直方体状である。したがって、袋部２０の開口部２１が矩形状に形成されるために、覆部４０で開口部２１を閉塞するときに、覆部４０を開口部２１の開口縁に沿って折ることができるので、閉塞する作業が容易である。また、袋部２０が直方体状であることから、例えば円柱状に比べて、袋部２０に収容できる土壌の容量を増やすことができると共に、収容された収容袋体１０を並べて保管するときにデッドスペースを少なくして効率よく並べることができる。また、覆部４０は、外形が矩形状であり、中央に開口部２１が位置している。したがって、直方体状の袋部２０に対して閉塞し易い構成とすることができる。
【００３３】
本実施形態の覆部４０は、土壌を集積するために少なくとも一部の外形縁に沿った略紐状あるいは略帯状の集積部材４２を有する。したがって、集積部材４２を持ち上がることで覆部４０上に積載された土壌を容易に開口部２１上に集積させることができる。
【００３４】
本実施形態の集積部材４２は、覆部４０の外側面であって、かつ覆部４０の外形縁の全周に亘って配置されている。したがって、覆部４０上に土壌が散乱して積載されても、作業者が土壌に直接、触れることなく容易に開口部２１上に土壌を集積させることができる。
【００３５】
本実施形態の覆部４０は、覆部４０の外形縁に近接した位置であって、外形縁の全周に沿って間隔をあけた位置に複数の挿通部４３を有し、集積部材４２は、挿通部４３にそれぞれ挿通させることで覆部４０に配置されている。したがって、集積部材４２の一部を持ち上げることで、持ち上げた部分の両側に位置する挿通部４３を介して周辺の覆部４０が全体的に持ち上げられるために、土壌を集積させる効率を向上させることができる。
【００３６】
本実施形態の袋部２０は、収容袋体１０を吊上げるための複数の吊上部材２７ａ〜２７ｄを有する。したがって、容易に収容袋体１０を吊上げて移動させることができる。
本実施形態の吊上部材２７ａ〜２７ｄは、直方体状の袋部２０のうち外側面であって、開口部２１の開口縁と直交する辺２４ａ〜２４ｄに沿って取り付けられている。したがって、吊上部材２７ａ〜２７ｄの強度を向上させることができる。
【００３７】
本実施形態の袋部２０は、４つ側面部２３ａ〜２３ｄと、１つの底面部２５とにより直方体状に構成され、底面部２５が開口部２１の開口縁に対して袋部２０の中心鉛直軸Ａを中心に回転した状態になるように、４つの側面部２３ａ〜２３ｄがそれぞれ対角線に沿って袋部２０の内側に折畳まれる。したがって、袋部２０が折畳まれることで、４つの側面部２３ａ〜２３ｄは、隣り合う折目２９ａ〜２９ｄが重なり合って、袋部２０の中心鉛直軸Ａに向かう渦状をなす。この状態から袋部２０を起立させることで、側面部２３ａ〜２３ｄは平坦な状態から徐々に傾斜角度が大きくなりながら鉛直な状態に変位することから、開口部２１上および覆部４０上に積載された土壌は、側面部２３ａ〜２３ｄの傾斜に合わせて側面部２３ａ〜２３ｄ上に沿って徐々に滑り落ちる。したがって、土壌は袋部２０内に緩やか、かつ円滑に収容される。また、土壌が袋部２０内に落下するように一挙に収容されることが防止されるので、収容袋体１０の破損を防ぐことができる。また、側面部２３ａ〜２３ｄは、中心鉛直軸Ａを中心に均等に広がることから、土壌が偏ることなく均等に側面部２３ａ〜２３ｄ上に沿って滑り落ち、土壌を袋部２０内に容易に収容することができる。
【００３８】
以上、本発明を上述した実施形態と共に説明したが、本発明は上述した実施形態にのみ限定されるものではなく、本発明の範囲内で変更等が可能である。
上述した実施形態では、結束部材２８と被結束部材４４とを一組設ける場合について説明したが、この場合に限られず、二組設けてもよい。例えば、側面部２３ａおよび側面部２３ｂにそれぞれ結束部材２８を取り付け、これらの結束部材２８に対応させて側面部２３ｃおよび側面部２３ｄに被結束部材４４を取り付けることができる。このように二組設けることで、覆部４０を決められた順番で折畳む必要がなく、任意の順番で折畳んだとしても、最後に結束部材２８を被結束部材４４に結束させることができる。
【００３９】
上述した実施形態では、袋部２０および覆部４０にポリプロピレンなどを用いたクロスを適用する場合について説明したが、この場合に限られず、用途に応じた材質を用いることができる。例えば、外側面から順番に、ポリプロピレンなどを用いたクロス、汚染物質吸着シート、通水性素材を用いた不織布が積層された材質を用いることができる。通水性素材は、土壌に含まれる水分を排出させることができる。汚染物質吸着シートは、主成分がゼオライトであって、排出された水分に含まれるセシウムを吸着することができる。ポリプロピレンなどを用いたクロスは、収容袋体１０全体の強度を向上させることができる。
【００４０】
上述した実施形態では、主に一時保管場所に保管されている保管袋を対象とする場合について説明したが、この場合に限られず、収容袋体１０は一次除染で放射性物質により汚染された土壌自体を収容する場合にも用いることができる。
上述した実施形態では、袋部２０は、底面部２５が袋部２０の中心鉛直軸Ａを中心に９０度回転した状態になるように折畳まれる場合について説明したが、９０度に限られず、９０度以外で回転した状態になるように折畳まれていてもよい。
【符号の説明】
【００４１】
１０：収容袋体  ２０：袋部  ２１：開口部  ２３ａ〜２３ｄ：側面部  ２５：底面部  ２７ａ〜２７ｄ：吊上部材  ４０：覆部  ４２：集積部材  ４３：挿通部
【図１Ａ】
2016204032.tif 000003
【図１Ｂ】
2016204032.tif 000004
【図１Ｃ】
2016204032.tif 000005
【図２Ａ】
2016204032.tif 000006
【図２Ｂ】
2016204032.tif 000007
【図３Ａ】
2016204032.tif 000008
【図３Ｂ】
2016204032.tif 000009
【図４】
2016204032.tif 000010
【図５】
2016204032.tif 000011
【図６】
2016204032.tif 000012
【図７】
2016204032.tif 000013
【図８】
2016204032.tif 000014
【図９】
2016204032.tif 000015
【図１０】
2016204032.tif 000016